(57)【特許請求の範囲】
【請求項１】
歯付ベルトに装着して使用するベルト用プロファイルであって、前記歯付ベルトの背面側に配置されるプロファイル本体と、該プロファイル本体との間に歯付ベルトの側縁部を挟持しつつベルト歯に係止されるよう前記歯付ベルトの側縁部かつ歯面側に配置される爪部とを備え、前記プロファイル本体は、歯付ベルトの背面に接する基板に突片を突設してなり、前記基板は、プロファイル本体の倒れを阻止して被搬送物から受ける反力に耐えるよう、歯付ベルトの複数の歯先及び歯溝に渡る長さに設定され、前記爪部は、歯付ベルトを湾曲させてベルト幅方向に縮めることにより、基板との間に前記側縁部をベルト幅方向内側から挿入又は抜き出し可能なよう、歯付ベルト側面の外側を通る連結部を介してプロファイル本体と一体に形成されたことを特徴とするベルト用プロファイル。
【請求項２】
前記爪部は、歯付ベルトの歯先を覆うことなく一つの歯溝に嵌る断面形状に設定されたことを特徴とする請求項１に記載のベルト用プロファイル。
【請求項３】
前記爪部は、歯付ベルトの一つの歯溝に嵌ると共に前記歯溝の両側の歯先を覆う断面形状に設定されたことを特徴とする請求項１に記載のベルト用プロファイル。
【請求項４】
前記爪部は、歯付ベルトの歯溝に嵌ることなく一つの歯先を覆う断面形状に設定されたことを特徴とする請求項１に記載のベルト用プロファイル。
【請求項５】
前記基板は、歯付ベルトの回転方向で爪部よりも後方又は爪部の前後に延設されたことを特徴とする請求項２、３又は４に記載のベルト用プロファイル。
【請求項６】
前記プロファイル本体は、歯付ベルトの背面に接する基板に突片を突設してなり、前記突片が基板に着脱自在なアタッチメントとされたことを特徴とする請求項１〜５のいずれかに記載のベルト用プロファイル。
【請求項７】
歯付プーリのプーリ歯に噛み合うベルト歯を有すると共に、プロファイルが装着されたプロファイル付きベルトであって、そのベルト幅が前記歯付プーリの中心軸方向長さよりも幅広に設定され、前記プロファイルが、背面側に接する基板に突片を突設してなるプロファイル本体と、該プロフィル本体と一体に形成されると共に歯面側に位置してベルト歯に係止される爪部とを備え、前記基板が、プロファイル本体の倒れを阻止して被搬送物から受ける反力に耐えるよう、歯付ベルトの複数の歯先及び歯溝に渡る長さに設定され、ベルト幅方向に湾曲させて縮めることにより、歯付プーリからベルト幅方向に突出する側縁部が、爪部と基板との間にベルト幅方向内側から挿入されて挟持されたことを特徴とするプロファイル付きベルト。
【請求項８】
請求項１〜６のいずれかに記載のベルト用プロファイルを備えたことを特徴とするプロファイル付きベルト。
【請求項９】
前記プロファイルの爪部は、歯付プーリ又は位置決め材の外端面に対向してベルト幅方向の位置ずれを規制することを特徴とする請求項７又は８に記載のプロファイル付きベルト。
【発明の詳細な説明】
【技術分野】
【０００１】
本発明は、歯付ベルトに装着して使用するベルト用プロファイル及びプロファイル付きベルトに関するものである。
【背景技術】
【０００２】
一般に、ベルト搬送において、その被搬送物が転がりやすいものである場合や、水平面に対する搬送方向の傾斜角が大きい場合、ベルトの背面に、被搬送物を搬送方向に押し送るためのプロファイルを取り付けるようにしている。このプロファイルは、ベルトの背面に接着や溶着することによって取り付けることが多く、さらに、ベルトとプロファイルとを一体的に成型することもある。
【０００３】
ただ、プロファイルをベルトに取り付けるための手法として接着や溶着などを採用すると、プロファイルの素材の選択が制約を受けやすく、しかも、プロファイルの取り外しができないことから、外観を観察するだけでは接合部の状態を確認できず、プロファイルの寿命を判断しにくいことが多い。また、ベルトとプロファイルとを一体的に成型するには、ベルト成型に、プロファイルの形状を掘り込んだ金型を使用する必要があり、投資金額が高くなり、寸法変更への対応も難しい。
【０００４】
これに対して、例えば特許文献１は、歯付ベルトの歯底に嵌め込んだ状態で、歯付ベルト側面において背面側に突出するコ字形あるいは一対のＬ字形の取付具を介して、ねじ止めにより、歯付ベルトにプロフィルを取り付けるようにしている。
【特許文献１】特開２００４−５９２７２（段落番号０００６〜０００９）
【発明の開示】
【発明が解決しようとする課題】
【０００５】
ところが、特許文献１のプロフィルは、ねじ止めによって歯付ベルトに取り付けるので、その装着及び取り外しが面倒であり、一旦歯付ベルトに装着した後は、寿命の確認などのために取り外すことなく、歯付ベルトに装着したままになりやすい。
【０００６】
本発明は、歯付ベルトへの着脱が容易なベルト用プロファイル及びプロファイル付きベルトの提供を目的とする。
【課題を解決するための手段】
【０００７】
上記目的を達成するために、本発明に係るベルト用プロファイルは、歯付ベルトに装着して使用するものであり、歯付ベルトの背面側に配置されるプロファイル本体と、このプロファイル本体との間に歯付ベルトの側縁部を挟持しつつベルト歯に係止されるよう歯付ベルトの側縁部かつ歯面側に配置される爪部とを備え、その爪部を、歯付ベルト側面の外側を通る連結部を介してプロファイル本体と一体に形成したものである。
【０００８】
上記構成によれば、プロファイル本体と爪部とを歯付ベルト側面の外側を通る連結部を介して一体に形成するので、歯付ベルトの側縁部をベルト幅方向内側からプロファイル本体と爪部との間に挿入するだけで、歯付ベルトにプロファイルを容易に装着することができる。しかも、プロファイルを装着するのと反対の手順により、歯付ベルトからプロファイルを容易に取り外すことができる。なお、プロファイル本体と爪部との間に歯付ベルトの側縁部を挿入又は抜き出すには、歯付ベルトを湾曲させて一旦ベルト幅方向に縮めることにより、爪部の先端を乗り越えさせればよい。
【０００９】
また、爪部を歯付ベルトの側縁部かつ歯面側に配置するので、この爪部をベルト歯に係止してベルト長手方向へのプロファイルの移動を阻止しつつ、爪部をベルト幅方向で歯付プーリの外側に位置させて、歯付ベルトと歯付プーリとの噛み合いを阻害するのを防止することができる。
【００１０】
爪部は、歯付ベルトの側縁部のベルト歯に係止できる形状であればよく、複数の歯先及び歯溝に嵌り合う形状に設定することもできるが、爪部のベルト長手方向の長さを短くするほど、爪部で歯付ベルトの屈曲が阻害されにくく、歯付ベルトを掛巻する歯付プーリを小径に設定することができる。
【００１１】
爪部の断面形状としては、歯付ベルトの歯先を覆うことなく一つの歯溝に嵌る断面形状を例示できる。これにより、爪部を簡単な山形形状に形成することができ、しかも、爪部のベルト長手方向の長さを極力短くすることができる。また、爪部を、歯付ベルトの一つの歯溝に嵌ると共に歯溝の両側の歯先を覆う断面形状に設定すれば、一つの歯溝に嵌るだけの形状よりも、爪部のベルト長手方向の長さ、すなわち爪部の幅が大きい分、爪部の強度を高めることができる。
【００１２】
また、爪部を、歯付ベルトの歯溝に嵌ることなく一つの歯先を覆う断面形状に設定することもできる。そうすれば、爪部を歯付ベルトのうちの元々曲げにくい部位である歯先部分に係止することができるので、歯付ベルトのうちの曲げやすい部位である歯溝部分の曲げを阻害することがなく、歯付ベルトの屈曲をより阻害しにくくすることができる。
【００１３】
上記のように、歯付ベルトの屈曲を阻害しないよう爪部を幅狭に設定する場合、単に爪部のベルト長手方向の長さを短くしただけでは、被搬送物からの反力によってプロファイルが倒れやすくなるが、プロファイル本体を歯付ベルトの背面に接する基板に突片を突設した構成とし、その基板を歯付ベルトの複数の歯先及び歯溝に渡る長さに設定すれば、歯付ベルトの屈曲を阻害することなく、プロファイルの倒れを阻止することができる。
【００１４】
つまり、プーリ間の歯付ベルトが真っ直ぐに張られた位置では、プロファイル本体の基板全体が歯付ベルトに接することにより、プロファイルが倒れるのを阻止することができる。一方、歯付ベルトが歯付プーリに巻き付いた位置では、プロファイル本体の基板が歯付ベルトと線接触するよう浮き上がるので、その基板が歯付ベルトの屈曲を阻害することがない。
【００１５】
さらに、基板を歯付ベルトの回転方向で爪部よりも後方に延設すれば、歯付ベルトを一方向に回転させる場合に、プロファイルの倒れを効果的に阻止することができ、基板を歯付ベルトの回転方向で爪部の前後に延設すれば、歯付ベルトを二方向に回転させる場合にも、プロファイルの倒れを阻止することができる。
【００１６】
また、プロファイル本体を歯付ベルトの背面に接する基板に突片を突設した構成とし、その突片を基板に着脱自在なアタッチメントとすることもできる。そうすれば、種々の形状のプロファイルについて、爪部及び基板の共通化を図ることができ、しかも、プロファイルの基板を歯付ベルトに装着したまま、突片を交換するだけで種々の形状のプロファイルを装着することができる。
【００１７】
また、本発明は、歯付プーリのプーリ歯に噛み合うベルト歯を有すると共に、プロファイルが装着されたプロファイル付きベルトであって、そのベルト幅が前記歯付プーリの中心軸方向長さよりも幅広に設定され、歯付プーリからベルト幅方向に突出する側縁部が、背面側に配置されたプロファイル本体と、該プロフィル本体と一体に形成されると共に歯面側に位置してベルト歯に係止される爪部とで挟持されたことを特徴とするプロファイル付きベルトを提供する。
【００１８】
この構成によれば、上記のベルト用プロファイルと同様、歯付ベルトへのプロファイルの着脱を容易にすると共に、ベルト長手方向へのプロファイルの移動を阻止しつつ、歯付ベルトと歯付プーリとの噛み合いを阻害するのを防止することができる。特に、プロファイル付きベルトのプロファイルとして、上記のベルト用プロファイルを採用することにより、上記のベルト用プロファイルの構成を採用することによる効果と同じ効果を得るのがよい。
【００１９】
また、プロファイルの爪部を、歯付プーリ又は位置決め材の外端面に対向させてベルト幅方向の位置ずれを規制すれば、歯付ベルトの位置ずれを規制するための専用のプーリフランジなどを省略することができる。
【発明の効果】
【００２０】
以上のとおり、本発明によると、プロファイル本体と爪部とを一体に形成するので、両者間に歯付ベルトの側縁部を挿入又は抜き出すだけで、歯付ベルトにプロファイルを容易に着脱することができる。これにより、随時、プロファイルを取り外して外観を観察することができ、プロファイルの寿命などを容易に判断することができる。
【発明を実施するための最良の形態】
【００２１】
以下、本発明に係るベルト用プロファイル及びプロファイル付きベルトを実施するための最良の形態について、図面を用いて説明する。図１は本発明に係るベルト用プロファイルの正面図、図２はプロファイルの側面図、図３は図１のＡ−Ａ断面図、図４は歯付ベルトに装着したプロファイルの断面図である。
【００２２】
プロファイル１は、例えば転がりやすい被搬送物２を水平面に対して傾斜する方向にベルト搬送可能なよう、歯付ベルト３に所望の個数を装着して使用するものであり、歯付ベルト３の背面側に配置されるプロファイル本体４と、プロファイル本体４との間に歯付ベルト３の側縁部３ａを挟持しつつベルト歯５に係止される爪部６と、歯付ベルト３の側面の外側を通る連結部７とを備え、そのプロファイル本体４と爪部６とが連結部７を介して一体に形成されている。なお、このプロファイル１は、例えばナイロンやポリプロピレンなどの合成樹脂から形成される。
【００２３】
歯付ベルト３は、歯付プーリ８のプーリ歯９に噛み合うベルト歯５を有すると共に、そのベルト幅が歯付プーリ８の中心軸方向長さよりも幅広に設定されている。これにより、歯付プーリ８に掛巻した歯付ベルト３のうち、プロファイル本体４と爪部６とで挟持される側縁部３ａが、歯付プーリ８からベルト幅方向に突出し、歯付ベルト３と歯付プーリ８との噛み合いが爪部６によって阻害されるのを防止する。
【００２４】
プロファイル本体４は、歯付ベルト３の背面に接するよう配置される長方形の基板１０と、この基板１０の一面に突設された突片１１とからなる断面略逆Ｔ字形とされ、その突片１１が被搬送物２を搬送方向に押し送るようになっている。
【００２５】
基板１０は、歯付ベルト３のベルト幅とほぼ同じ幅に設定されると共に、歯付ベルト３の複数の歯先１２及び歯溝１３に渡るよう、歯付ベルト３の長手方向で爪部６の前後に延設されている。突片１１は、基板１０と同じ幅で基端側ほど厚肉の長方形状とされ、その背面側が二本のリブ１４で補強されている。
【００２６】
爪部６は、歯付ベルト３の側縁部３ａの歯溝１３に嵌る断面台形の山形部１５と、歯付ベルト３の側縁部３ａの歯先１２を覆う板状の覆い部１６とからなる。この爪部６は、歯付ベルト３の歯面側に配置されることにより、側縁部３ａをプロファイル本体４との間に挟持しつつ、歯付ベルト３の歯溝１３に嵌ると共にその両側の歯先１２を覆ってベルト歯５に係止される。
【００２７】
連結部７は、略台形の板状とされて、基板１０の両側面のうちのベルト長手方向の中央部からベルト歯面側に突出するよう形成され、その先端部からベルト幅方向内向きに爪部６が突出形成されている。
【００２８】
次に、プロファイルを装着した歯付ベルトを回転させたときの様子を説明する。図５は歯付プーリの外周側に位置したプロファイルの側面図である。
【００２９】
まず、プロファイル１は、そのプロファイル本体４の基板１０と爪部６とで歯付ベルト３の側縁部３ａを挟持すると共に、その爪部６の山形部１５を側縁部３ａの歯溝１３に嵌めることにより、歯付ベルト３に装着されている。ここで、歯付ベルト３の側縁部３ａを挟持するには、歯付ベルト３を湾曲させてベルト幅方向に縮めることにより、爪部６の先端を乗り越えさせるようにして、爪部６の山形部１５を歯溝１３に嵌めつつ側縁部３ａを基板１０と爪部６との間に挿入する。さらに、その反対の手順でプロファイル１を歯付ベルト３から取り外すこともできる。
【００３０】
このプロファイル１は、歯付ベルト３が正方向に回転して正面側（図４における右方向）に移動することにより、正面側の被搬送物２を正面側に押し送ると共に、被搬送物２から受ける反力を爪部６から歯溝１３を介して歯付ベルト３に伝える。
【００３１】
図４に示すように、プロファイル１が歯付ベルト３のうちの歯付プーリ８間に張られた部位に位置したとき、基板１０の全体が歯付ベルト３の背面に接するようになっている。この状態においては、正面側の被搬送物２から受ける反力に対して、基板１０のうちの背面側に延設された部位がベルト背面に圧接されることにより、プロファイル１の転倒が阻止される。
【００３２】
また、歯付ベルト３を逆方向に回転させてプロファイル１を背面側（図４における左方向）に移動させ、背面側の被搬送物２を背面側に押し送る場合、基板１０のうちの正面側に延設された部位がベルト背面に圧接されることにより、背面側の被搬送物２から受ける反力によるプロファイル１の転倒が阻止される。
【００３３】
さらに、図５に示すように、プロファイル１が歯付プーリ８の外周側に位置したとき、基板１０は、爪部６の近傍を残して歯付ベルト３の背面から浮き上がる。これにより、基板１０が歯付ベルト３の屈曲を阻害することがなく、歯付プーリ８を小径に設定することができる。
【００３４】
上記構成によれば、プロファイル１を歯付ベルト３に容易に着脱することができるので、随時取り外して観察することにより、プロファイル１の寿命などの判断をすることができる。また、歯付ベルト３の側縁部３ａを挟持して装着するので、歯付ベルト３やプロファイル１の材質を自由に選択することができる。また、プロファイル１の基板１０を歯付ベルト３の背面に接触及び浮き上がり自在にするので、被搬送物２のからの大きな反力に耐えつつ、歯付プーリ８を小径に設定することができる。
【００３５】
なお、本発明は、上記の実施の形態に限定されるものではなく、本発明の範囲内において、適宜変更を加えることができる。例えば、図６に示すように、爪部６の先端をテーパ状に形成して、爪部６を歯付プーリ８の外端面に対向するよう案内することにより、歯付ベルト３のベルト幅方向の位置ずれを規制してもよく、これにより、歯付ベルト３の位置ずれを防止するプーリフランジなどの専用の部材を省略することができる。さらに、図７に示すように、歯付ベルト３よりも歯面側に位置決め材１７を設け、この位置決め材１７の端面に爪部６を対向させて、歯付ベルト３のベルト幅方向の位置ずれを規制することもできる。
【００３６】
また、図８に示すように、山形部１５と覆い部１６とからなる爪部６に代えて、歯付ベルト３の歯先１２を覆うことなく、一つの歯溝１３に嵌る山形部のみからなる爪部１８を採用することもできる。これにより、爪部１８の強度は小さくなるものの、歯付ベルト３の屈曲を極力阻害しないようにすることができる。
【００３７】
さらに、図９に示すように、歯付ベルト３の歯溝１３に嵌ることなく、一つの歯先１２を覆う凹形の断面形状の爪部１９を採用することもできる。この場合、歯付ベルト３のうち、元々曲げにくい歯先１２に爪部１９を係止するので、曲げの容易な部位である歯溝１３の曲げを阻害することがなく、歯付ベルト３の屈曲を極力阻害しないようにすることができる。
【００３８】
また、図１０に示すように、基板１０及び突片１１を一体に形成するだけでなく、突片２０を基板２１に着脱自在なアタッチメントとすることもできる。これにより、基板２１、爪部６及び連結部７を共通にしつつ、突片２０のみを目的に応じて種々の形状のものに交換することができる。
【００３９】
また、歯付ベルト３が一方向のみに回転する場合には、基板１０は、爪部６の前後に延設するだけでなく、歯付ベルト３の回転方向で爪部６よりも後方のみに延設することもできる。
【図面の簡単な説明】
【００４０】
【図１】本発明に係るベルト用プロファイルの正面図
【図２】プロファイルの側面図
【図３】図１のＡ−Ａ断面図
【図４】歯付ベルトに装着したプロファイルの断面図
【図５】歯付プーリの外周側に位置したプロファイルの側面図
【図６】爪部が歯付プーリの外端面に対向するプロファイルの正面図
【図７】爪部が位置決め材の外端面に対向するプロファイルの正面図
【図８】歯溝に嵌る山形部のみからなる爪部を備えたプロファイルの断面図
【図９】歯先に係止する爪部を備えたプロファイルの断面図
【図１０】アタッチメントとしての突片を備えたプロファイルの断面図
【符号の説明】
【００４１】
１    プロファイル
３    歯付ベルト
３ａ  側縁部
４    プロファイル本体
５    ベルト歯
６、１８、１９  爪部
７    連結部
８    歯付プーリ
１０、２１  基板
１１、２０  突片
１２  歯先
１３  歯溝
１７  位置決め材
【図１】
0004313409.tif 000002
【図２】
0004313409.tif 000003
【図３】
0004313409.tif 000004
【図４】
0004313409.tif 000005
【図５】
0004313409.tif 000006
【図６】
0004313409.tif 000007
【図７】
0004313409.tif 000008
【図８】
0004313409.tif 000009
【図９】
0004313409.tif 000010
【図１０】
0004313409.tif 000011